(57)【特許請求の範囲】
【請求項１】
文字板（１３０）と、
前記文字板（１３０）の視認側に形成されるアナログ式のメータ部（１４１）と、
前記メータ部（１４１）の外周部に設けられる加飾用の加飾部（１５１）と、
前記文字板（１３０）の裏面側に配置されて、前記文字板（１３０）に設けられた開口部（１３０ａ）から画像表示するディスプレイ部（１７０）と、
前記ディスプレイ部（１７０）の画像表示の状態を制御する制御部（１８０）とを備え、
視認側から投影したときに、前記加飾部（１５１）を含む前記メータ部（１４１）の一部に前記ディスプレイ部（１７０）の最外領域（１７１）が重なるように配置された表示装置であって、
前記加飾部（１５１）は、透光性を有する本体部材（１５１１）の表面に、光の透過性と反射性の両特性を有する表面処理層（１５１２）が設けられて形成されており、
前記制御部（１８０）は、前記ディスプレイ部（１７０）における前記加飾部（１５１）を含む前記メータ部（１４１）と重なりのない非重畳領域（１７２）での表示、および前記最外領域（１７１）での表示の切替えを行うようになっており、
前記非重畳領域（１７２）での表示の際に、前記表面処理層（１５１２）の反射特性により、前記加飾部（１５１）の全体が視認され、
前記最外領域（１７１）での表示の際に、前記表面処理層（１５１２）の透過特性により、前記加飾部（１５１）の前記最外領域（１７１）との重なり部（１５１ａ）に、前記ディスプレイ部（１７０）の画像が視認されることを特徴とする表示装置。
【請求項２】
前記重なり部（１５１ａ）に視認される前記ディスプレイ部（１７０）の画像は、前記重なり部（１５１ａ）に対応するように前記制御部（１８０）によって形成される加飾対応画像（１７０ａ）であることを特徴とする請求項１に記載の表示装置。
【請求項３】
前記加飾部（１５１）の前記最外領域（１７１）と重ならない非重なり部（１５１ｂ）を、前記文字板（１３０）の裏面側から前記加飾対応画像（１７０ａ）とは異なる色で発光させる光源部（１６０）を備え、
前記制御部（１８０）は、前記光源部（１６０）の点灯制御することを特徴とする請求項２に記載の表示装置。
【請求項４】
前記加飾部（１５１）は、前記ディスプレイ部（１７０）の画像の光を、前記加飾部（１５１）の周方向に交差する幅方向の領域に拡がるように屈折させる屈折部（１５１ｃ）と、
前記加飾部（１５１）の前記幅方向の端部で、前記ディスプレイ部（１７０）の画像の光を、前記文字板（１３０）の面に沿う方向に反射させる反射部（１５１ｄ）とを有することを特徴とする請求項１〜請求項３のいずれか１つに記載の表示装置。
【請求項５】
前記制御部（１８０）は、前記ディスプレイ部（１７０）の画像における前記加飾部（１５１）との境界部に対応する領域の色および輝度を、前記でディスプレイ部（１７０）の画像が前記加飾部（１５１）を透過した後の光の色および輝度に合せるように調整することを特徴とする請求項１〜請求項３のいずれか１つに記載の表示装置。
【請求項６】
前記制御部（１８０）は、前記ディスプレイ部（１７０）の画像における前記加飾部（１５１）との境界部に対応する領域の色および輝度を、前記加飾部（１５１）と対応する領域の色および輝度から、前記加飾部（１５１）が形成されない非形成領域（１７３）の色および輝度へ、グラデーションによって変化させるように調整することを特徴とする請求項１〜請求項３のいずれか１つに記載の表示装置。
【発明の詳細な説明】
【技術分野】
【０００１】
本発明は、車両に関連する情報を表示する車両用表示装置に適用して好適な表示装置に関するものである。
【背景技術】
【０００２】
従来の表示装置として、例えば、特許文献１に記載されたものが知られている。特許文献１の表示装置（車両用メータユニット）は、指針式の第１メータと、指針式の第２メータと、ＴＦＴ液晶パネルによって形成された液晶表示部とを備えている。第１メータと第２メータとの外周部には、それぞれ、透光性を有する加飾用のメータ枠が設けられている。第２メータにおいては、内部に配置されたメータ用ＬＥＤの点灯切替えによって、一部の表示内容が切替えられるようになっている。
【０００３】
また、液晶表示部は、第１メータと第２メータとの間で、各メータ領域の一部に重なるように配置されている。よって、第１メータ、および第２メータにおいて、液晶表示部が重なる領域については、メータ枠が削除されたものとなっている。そして、メータ枠は内部に配置された枠用ＬＥＤによって発光されるようになっている。枠用ＬＥＤは、ＲＧＢの各光量の調整によって発光色が切替えられるようになっている。
【０００４】
特許文献１の表示装置では、走行モードに応じて第２メータの表示内容の一部、および液晶表示部の表示内容が切替えられるようになっている。併せて、走行モードに応じてメータ枠の発光色が切替えられるようになっている。
【先行技術文献】
【特許文献】
【０００５】
【特許文献１】特許第５５９４５２５号公報
【発明の概要】
【発明が解決しようとする課題】
【０００６】
しかしながら、特許文献１の表示装置においては、液晶表示部における表示領域は同一の大きさのままで、単に表示内容が切替えられるものに過ぎない。またメータ枠は、周方向に一部切欠きされたものであって、走行状態に応じて、単に、液晶表示部の表示内容の切替えと共に、発光色が変更されるものに過ぎない。
【０００７】
本発明の目的は、上記問題に鑑み、ディスプレイ部の表示領域の大きさを切替えると共に、表示領域の切替えに伴って、加飾部の見え方に変化を持たせることのできる表示装置を提供することにある。
【課題を解決するための手段】
【０００８】
本発明は上記目的を達成するために、以下の技術的手段を採用する。
【０００９】
本発明では、文字板（１３０）と、
文字板（１３０）の視認側に形成されるアナログ式のメータ部（１４１）と、
メータ部（１４１）の外周部に設けられる加飾用の加飾部（１５１）と、
文字板（１３０）の裏面側に配置されて、文字板（１３０）に設けられた開口部（１３０ａ）から画像表示するディスプレイ部（１７０）と、
ディスプレイ部（１７０）の画像表示の状態を制御する制御部（１８０）とを備え、
視認側から投影したときに、加飾部（１５１）を含むメータ部（１４１）の一部にディスプレイ部（１７０）の最外領域（１７１）が重なるように配置された表示装置であって、
加飾部（１５１）は、透光性を有する本体部材（１５１１）の表面に、光の透過性と反射性の両特性を有する表面処理層（１５１２）が設けられて形成されており、
制御部（１８０）は、ディスプレイ部（１７０）における加飾部（１５１）を含むメータ部（１４１）と重なりのない非重畳領域（１７２）での表示、および最外領域（１７１）での表示の切替えを行うようになっており、
非重畳領域（１７２）での表示の際に、表面処理層（１５１２）の反射特性により、加飾部（１５１）の全体が視認され、
最外領域（１７１）での表示の際に、表面処理層（１５１２）の透過特性により、加飾部（１５１）の最外領域（１７１）との重なり部（１５１ａ）に、ディスプレイ部（１７０）の画像が視認されることを特徴としている。
【００１０】
この発明によれば、ディスプレイ部（１７０）の非重畳領域（１７２）での表示、および最外領域（１７１）での表示の切替えが可能であり、ディスプレイ部（１７０）における表示領域の大きさを切替えることができるようになっている。
【００１１】
そして、ディスプレイ部（１７０）の非重畳領域（１７２）での表示の際には、加飾部（１５１）は、表面処理層（１５１２）の反射特性により、加飾部（１５１）の全体の形状が視認される。
【００１２】
また、ディスプレイ部（１７０）の最外領域（１７１）での表示の際には、加飾部（１５１）は、表面処理層（１５１２）の透過特性により、ディスプレイ部（１７０）の画像が視認されることにより、加飾部（１５１）の一部分が存在しないかのように視認される。よって、ディスプレイ部（１７０）の表示領域の大きさの切替えに伴って、加飾部（１５１）の見え方に変化を持たせることができる。
【００１３】
尚、上記各手段の括弧内の符号は、後述する実施形態記載の具体的手段との対応関係を示すものである。
【図面の簡単な説明】
【００１４】
【図１】第１実施形態における車両用表示装置を示す正面図である（非重畳領域表示）。
【図２】図１におけるII−II部を示す断面図である。
【図３】図２におけるIII部（加飾部）を示す拡大断面図である。
【図４】ディスプレイ部の最外領域表示の場合を示す正面図である。
【図５】加飾部の色変化表示の場合を示す正面図である。
【図６】ディスプレイ部における加飾対応画像を示す正面図である。
【図７】第２実施形態における加飾部を示す断面図である。
【図８】第３実施形態における加飾部を示す断面図である。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１６】
（第１実施形態）
本発明の第１実施形態について、図１〜図６を用いて説明する。第１実施形態の表示装置は、車両用表示装置１００に適用されたものである。図１に示すように、車両用表示装置１００は、車両に関連する所定情報をユーザ（視認者）に表示するものとなっている。車両用表示装置１００は、車両のインストルメントパネル（以下、インパネ）のユーザ側の面に設けられており、ケース１１０、基板１２０、文字板１３０、メータ部１４１、１４２、加飾部１５１、１５２、光源部１６０、ディスプレイ部１７０、および制御部１８０等を備えている。
【００１７】
ケース１１０は、例えば、正面形状が横長の長円形であり、有底の筒状を成す樹脂製の容器となっており、開口側がユーザ側（視認側）を向き、底部側がユーザとは反対側を向くように配置されている。以下、ユーザとは反対側を反ユーザ側（反視認側）と呼ぶことにする。ケース１１０の外周部は、周壁部１１１となっており、また、ケース１１０の底の部分は、底部１１２となっている。
【００１８】
基板１２０は、例えばガラスエポキシ基板等から成り、車両用表示装置１００の電気回路部を形成している。基板１２０は、横長の長円形を成してケース１１０の軸方向の中間位置に配置されて、例えば、周壁部１１１の内周面に固定されている。基板１２０には、後述するモータ１４１ｃ、１４２ｃ、および光源部１６０等が設けられている。
【００１９】
文字板１３０は、例えば、透光性材（例えば、透明なポリカーボネート樹脂等）から形成された横長の長円形の薄い板部材であり、基板１２０のユーザ側に配置されて、周壁部１１１の内周面に固定されている。文字板１３０の左右の領域は、後述する円形のメータ部１４１、１４２が配置される領域となっており、また文字板１３０の中央の領域は、後述する横長四角形のディスプレイ部１７０が配置される領域となっている。文字板１３０のディスプレイ部１７０が配置される領域には、ディスプレイ部１７０の外形形状に対応する大きさの開口部１３０ａが設けられている。
【００２０】
また、文字板１３０において、開口部１３０ａを除いたメータ部１４１、１４２の外周部に対応する領域には、車速、エンジン回転速度を示すための透光性の目盛部と数字部が形成されている。メータ部１４１における数字部は、車速値のうち高車速領域を示す数字部となっている。また、メータ部１４２における数字部は、エンジン回転速度値のうち、低回転領域を示す数字部となっている。また、メータ部１４１の中心部に対応する領域には、円周上の一部が切欠かれた透光性のリング部１３０ｂが形成されている（図５）。
【００２１】
そして、文字板１３０において、目盛部、数字部、およびリング部１３０ｂを除く領域のユーザ側の面、および反ユーザ側の面は、遮光性の印刷塗装（例えば黒色塗装）が施されている。つまり、目盛部、数字部、およびリング部１３０ｂは、上記遮光性の印刷塗装が実施されないことで、透光性を維持した部位となっている。そして、目盛部、数字部、およびリング部１３０ｂは、後述する制御部１８０によって図示しない光源部が点灯されることで、発光されるようになっている。
【００２２】
メータ部１４１は、例えば、車速を表示するアナログ式の円形のメータであり、文字板１３０のユーザ側で、右側の領域に設けられている。同様に、メータ部１４２は、例えば、エンジン回転速度を表示するアナログ式の円形のメータであり、文字板１３０のユーザ側で、左側の領域に設けられている。メータ部１４１は、指針１４１ａ、回動軸部１４１ｂ、およびモータ１４１ｃ等を備えている。また、同様に、メータ部１４２は、指針１４２ａ、回動軸部１４２ｂ、およびモータ１４２ｃ等を備えている。
【００２３】
指針１４１ａ、１４２ａは、透光性材（例えば、透明なポリカーボネート樹脂、アクリル樹脂等）から形成されており、文字板１３０のユーザ側に配置されている。指針１４１ａ、１４２ａの一端側には、直交する方向に延びる回動軸部１４１ｂ、１４２ｂが設けられており、この回動軸部１４１ｂ、１４２ｂは、文字板１３０、および基板１２０を貫通するようにして、モータ１４１ｃ、１４２ｃのシャフトに接続されている。
【００２４】
モータ１４１ｃ、１４２ｃは、指針１４１ａ、１４２ａを回動させる指針用の駆動部であり、基板１２０において反ユーザ側の面に配置されている。モータ１４１ｃ、１４２ｃは、例えば、パルス電力に同期して動作する同期電動機としてのステッパモータが使用されている。モータ１４１ｃ、１４２ｃの作動は、後述する制御部１８０によって制御されるようになっている。
【００２５】
加飾部１５１、１５２は、加飾用の部材であり、文字板１３０のユーザ側の面で、メータ部１４１、１４２の外周部に設けられて、ユーザに対してメータ部１４１、１４２を立体的に見せるようにすると共に、メータ部１４１、１４２の外周側の見栄えを向上させるものである。加飾部１５１、１５２は、リング状を成しており、透光性を有する樹脂材から形成された本体部材１５１１の表面に、表面処理層１５１２が設けられて形成されている。
【００２６】
ここで、加飾部１５１、１５２を含むメータ部１４１、１４２と、後述するディスプレイ部１７０との位置関係は、ユーザ側から投影して見たときに、加飾部１５１、１５２を含むメータ部１４１、１４２の一部に、ディスプレイ部１７０（外形形状）が重なる位置関係となっている。加飾部１５１、１５２のディスプレイ部１７０に重なる部分が、重なり部１５１ａ、１５２ａとなっており、重ならない部分が、非重なり部１５１ｂ、１５２ｂとなっている。
【００２７】
本体部材１５１１は、ユーザ側から見た全体形状がリング状を成しており、樹脂材の金型成形によって形成されている。本体部材１５１１の断面形状は、図３に示すように、台形状を成しており、内周側の側面、および外周側の側面には、金型成形後の離型のための金型抜き勾配に対応する最少限度の傾斜部が設けられている。
【００２８】
また、本体部材１５１１の文字板１３０側には、凹み部が形成されており、この凹み部において、本体部材１５１１の周方向に交差する方向（幅方向）の両端部側には、屈折部１５１ｃが設けられている。屈折部１５１ｃは、文字板１３０の面に対して傾斜された面部によって形成されており、ディスプレイ部１７０からの画像（光）を、本体部材１５１１の幅方向の領域に拡がるように屈折させる部位となっている。
【００２９】
また、本体部材１５１１の文字板１３０側において、幅方向の両端部側には、反射部１５１ｄが設けられている。反射部１５１ｄは、面取り部のごとく、文字板１３０の面に対して傾斜された面部によって形成されており、ディスプレイ部１７０からの画像（光）を、文字板１３０の面に沿う方向（本体部材１５１１の内径側、および外径側）に反射（全反射）させる部位となっている。
【００３０】
表面処理層１５１２は、本体部材１５１１の表面に、例えば、金属色を呈する塗装、蒸着、あるいはメッキ等によって設けられた処理層となっている。表面処理層１５１２は、ディスプレイ部１７０からの光を透過させる透過性と、外部からの光を反射させる反射性の両特性を有する処理層となっている。
【００３１】
光源部１６０は、加飾部１５１、１５２の非重なり部１５１ｂ、１５２ｂを照明するものであり、基板１２０のユーザ側の面に、非重なり部１５１ｂ、１５２ｂの周方向に対応するように複数、設けられている。複数の光源部１６０のひとつひとつは、例えば、赤色、緑色、および青色の発光ダイオードから形成されており、各ダイオードにおける点灯時の出力割合を調整することで種々の色で発光されるようになっている。
【００３２】
また、例えば、非重なり部１５１ｂにおいては、発光される領域が分割されており、複数の光源部１６０のうち、所定の領域の光源部１６０を点灯させることで、非重なり部１５１ｂが分割されたように照明することが可能となっている（図５）。
【００３３】
光源部１６０は、後述する制御部１８０によって、点灯消灯、および発光色の調整が制御されるようになっている。尚、光源部１６０の他に、基板１２０には、メータ部１４１、１４２の目盛部、数字部、および指針１４１ａ、１４２ａを照明するための光源部が複数、設けられている（図示省略）。
【００３４】
ディスプレイ部１７０は、デジタル画像によって各種車両情報画像、重なり部１５１ａに対する加飾対応画像１７０ａ、および装飾画像１７０ｂ等を表示（画像表示）するフラットパネル式のディスプレイ部となっている。ディスプレイ部１７０は、例えば、薄膜状のトランジスタを利用したＴＦＴ（Ｔｈｉｎ  Ｆｉｌｍ  Ｔｒａｎｓｉｓｔｏｒ）液晶ディスプレイが使用されている。ディスプレイ部１７０の表示状態（表示内容）は、後述する制御部１８０によって制御されるようになっている。
【００３５】
ディスプレイ部１７０は、ユーザ側から見た外形形状（以下、最外領域１７１）が横長四角形を成しており、メータ部１４１とメータ部１４２との間に配置されて、文字板１３０の反ユーザ側の面に固定されている。ディスプレイ部１７０は、文字板１３０の開口部１３０ａから表示面（表示画像）が視認されるようになっている。
【００３６】
ディスプレイ部１７０は、ユーザ側から投影して見たときに、加飾部１５１、１５２を含むメータ部１４１、１４２の一部に最外領域１７１が重なるように配置されている。また、ディスプレイ部１７０において、メータ部１４１とメータ部１４２との間の領域で、加飾部１５１、１５２を含むメータ部１４１、１４２と重ならない領域が非重畳領域１７２となっている。
【００３７】
ディスプレイ部１７０は、最外領域１７１を用いた画像での表示と、非重畳領域１７２を用いた画像での表示との切替えが可能となっている。ディスプレイ部１７０における各種画像は、例えば、黒地に所定の色で表示されるものとなっている。
【００３８】
最外領域１７１を用いた第１パターンの画像は、例えば、図４に示すように、中心部に外気温度情報画像、シフト位置情報画像、車速情報画像、走行距離情報画像等が表示され、また、左右の領域にその他の車両情報画像、およびオーディオ機器における音楽情報画像等が表示される画像となっている。
【００３９】
また、最外領域１７１を用いた第２パターンの画像として、例えば、図５、図６に示すように、中心部に外気温度情報画像、シフト位置情報画像、走行距離情報画像等が表示されると共に、加飾部１５１の重なり部１５１ａに対応する位置に形成される円弧状の加飾対応画像１７０ａ、および、加飾部１５１、１５２同士を上下の位置で接続するような装飾画像１７０ｂが表示される画像となっている。尚、ディスプレイ部１７０のメータ部１４１に重なる半円形の領域には、車速を示すための目盛画像と、車速値のうち低車速領域を示す数字画像が表示されるようになっている。また、ディスプレイ部１７０のメータ部１４２に重なる半円形の領域には、エンジン回転速度を示すための目盛画像と、エンジン回転速度値のうち、高回転領域を示す数字画像が表示されるようになっている。
【００４０】
また、非重畳領域１７２を用いた画像は、図１に示すように、外気温度情報画像、シフト位置情報画像、および走行距離情報画像等が表示される画像となっている。尚、ディスプレイ部１７０のメータ部１４１に重なる半円形の領域には、車速を示すための目盛画像と、車速値のうち低車速領域を示す数字画像が表示されるようになっている。また、ディスプレイ部１７０のメータ部１４２に重なる半円形の領域には、エンジン回転速度を示すための目盛画像と、エンジン回転速度値のうち、高回転領域を示す数字画像が表示されるようになっている。
【００４１】
制御部１８０は、モータ１４１ｃ、１４２ｃの駆動、光源部１６０の点灯消灯、発光色の切替え、およびディスプレイ部１７０の画像形成、画像切替えを制御する制御手段となっている。制御部１８０は、ユーザの操作する画像切替えスイッチの入力状況に応じて、画像切替えを行い、切替えた画像に見合った各種表示を行うようになっている。
【００４２】
本実施形態の車両用表示装置１００の構成は以上のようになっており、次に、車両用表示装置１００の作動について説明する。
【００４３】
１．非重畳領域表示（図１）
ユーザによって、画像切替えスイッチが操作されて、非重畳領域１７２での表示要求があると、制御部１８０は、光源部１６０を消灯させ、また、ディスプレイ部１７０における表示を、非重畳領域１７２における表示に切替える。尚、メータ部１４１、１４２においては、制御部１８０によって、文字板１３０に形成された目盛部と数字部が発光され、また、ディスプレイ部１７０のメータ部１４１、１４２に対応する内側領域に、目盛画像、数字画像が形成されることによって、速度表示用、および回転速度表示用の目盛部および数字部が全領域にわたって表示される。
【００４４】
そして、制御部１８０は、図示しない車速センサからの速度信号に基づいて、モータ１４１ｃを駆動させる。これに伴って、指針１４１ａはメータ部１４１の中心位置を回動中心として回動されて、指針１４１ａの先端部は速度信号に応じた数字部、および目盛部指し示すことで速度（ｋｍ／ｈ）を示す。
【００４５】
また、制御部１８０は、図示しないエンジン回転速度速センサからの回転速度信号に基づいて、モータ１４２ｃを駆動させる。これに伴って、指針１４２ａはメータ部１４２の中心位置を回動中心として回動されて、指針１４２ａの先端部は回転速度信号に応じた数字部、および目盛部指し示すことでエンジン回転速度（ｒｐｍ）を示す。
【００４６】
そして、ディスプレイ部１７０における非重畳領域１７２には、外気温度情報画像、シフト位置情報画像、および走行距離情報画像等が表示される。
【００４７】
このとき、加飾部１５１、１５２における表面処理層１５１２の反射特性により、外部からの光がユーザ側に反射される。よって、加飾部１５１、１５２の全体形状が、金属調の色彩をもって視認される。
【００４８】
２．最外領域表示（第１パターン  図４）
ユーザによって、画像切替えスイッチが操作されて、最外領域１７１での第１パターン表示要求があると、制御部１８０は、光源部１６０を消灯させ、また、ディスプレイ部１７０における表示を、最外領域１７１における第１パターンの表示に切替える。
【００４９】
そして、制御部１８０は、モータ１４１ｃの駆動を停止させる。よって指針１４１ａの回動も停止される。また、制御部１８０は、図示しないエンジン回転速度速センサからの回転速度信号に基づいて、モータ１４２ｃを駆動する。これに伴って、指針１４２ａはメータ部１４２の中心位置を回動中心として回動されて、指針１４２ａの先端部は回転速度信号に応じた数字部、および目盛部指し示すことでエンジン回転速度（ｒｐｍ）を示す。
【００５０】
そして、ディスプレイ部１７０の中心部には、外気温度情報画像、シフト位置情報画像、車速情報画像、走行距離情報画像等が表示され、また、左右の領域には、その他の車両情報画像、およびオーディオ機器における音楽情報画像等が表示される。尚、車速情報画像の形成にあたっては、制御部１８０は、図示しない車速センサからの速度信号に基づいて、車速を決定してその画像を形成する。
【００５１】
このとき、加飾部１５１、１５２の重なり部１５１ａ、１５２ａに対応する領域には、表面処理層１５１２の透過特性により、最外領域１７１の画像（光）が透過されて、最外領域１７１の画像が視認される。また、加飾部１５１、１５２の非重なり部１５１ｂ、１５２ｂに対応する領域は、表面処理層１５１２の反射特性により、外部からの光がユーザ側に反射され、非重なり部１５１ｂ、１５２ｂは、金属調の色彩をもって視認される。よって、加飾部１５１、１５２の一部（重なり部１５１ａ、１５２ａ）が存在しないかのように視認される。
【００５２】
３．最外領域表示（第２パターン  図５、図６）
ユーザによって、画像切替えスイッチが操作されて、最外領域１７１での第２パターン表示要求があると、制御部１８０は、複数の光源部１６０を部分的に点灯させ（青色ないし緑色）、リング部１３０ｂ用の光源部を点灯させ、また、ディスプレイ部１７０における表示を、最外領域１７１における第２パターンの表示に切替える。
【００５３】
この場合、加飾部１５１の非重なり部１５１ｂにおいては、表面処理層１５１２の透過特性によって、光源部１６０の光が視認される。つまり、非重なり部１５１ｂは、例えば、車両のエコ走行状態を示すインジケータとして青色ないし緑色に発光される。また、リング部１３０ｂも発光される。そして、制御部１８０は、モータ１４１ｃを駆動させる。この場合、指針１４１ａは、非重なり部１５１ｂの範囲で、車両のエコ走行状態を示す指針として回動される。制御部１８０は、光源部１６０の発光色をエコ走行状態のレベルが高いほど、青色から緑色に変化させる。
【００５４】
また、加飾部１５１の重なり部１５１ａにおいては、表面処理層１５１２の透過特性により、ディスプレイ部１７０における加飾対応画像１７０ａの画像（光）が透過され、加飾対応画像１７０ａの画像が視認される。つまり、加飾部１５１の一部（重なり部１５１ａ）は赤色に発光されて視認される。また、ディスプレイ部１７０のメータ部１４１に重なる半円形の領域内には、車速を示すための目盛画像と、車速値のうち低車速領域を示す数字画像と、アナログ式の指針を模した指針画像とが表示され、赤色発光される重なり部１５１ａと共に、車速が表示されることになる。
【００５５】
また、制御部１８０は、図示しないエンジン回転速度速センサからの回転速度信号に基づいて、モータ１４２ｃを駆動する。これに伴って、指針１４２ａはメータ部１４２の中心位置を回動中心として回動されて、指針１４２ａの先端部は回転速度信号に応じた数字部、および目盛部指し示すことでエンジン回転速度（ｒｐｍ）を示す。このとき、加飾部１５２は、表面処理層１５１２の反射特性により、全周にわたって外部の光が反射され、金属調の色彩をもって視認される。
【００５６】
そして、ディスプレイ部１７０における非重畳領域１７２には、外気温度情報画像、シフト位置情報画像、および走行距離情報画像等、および装飾画像１７０ｂが表示される。
【００５７】
以上のように、本実施形態では、ディスプレイ部１７０の非重畳領域１７２での表示、および最外領域１７１での表示の切替えが可能であり、ディスプレイ部１７０における表示領域の大きさを切替えることができるようになっている。
【００５８】
そして、ディスプレイ部１７０の非重畳領域１７２での表示の際には、加飾部１５１、１５２は、表面処理層１５１２の反射特性により、加飾部１５１、１５２の全体の形状が視認される。
【００５９】
また、ディスプレイ部１７０の最外領域１７１での表示の際には、加飾部１５１、１５２は、表面処理層１５１２の透過特性により、ディスプレイ部１７０の表示が視認されることにより、加飾部１５１、１５２の一部分が存在しないかのように視認される。よって、ディスプレイ部１７０の表示領域の大きさの切替えに伴って、加飾部１５１、１５２の見え方に変化を持たせることができる。
【００６０】
また、最外領域１７１での第２パターン表示の際に、重なり部１５１ａに視認されるディスプレイ部１７０の画像を、重なり部１５１ａに対応するように制御部１８０によって形成される加飾対応画像１７０ａとしている。これにより、加飾部１５１の重なり部１５１ａを加飾対応画像１７０ａの色で発光させることができる。
【００６１】
また、加飾部１５１の非重なり部１５１ｂを、文字板１３０の裏面側から加飾対応画像１７０ａとは異なる色で発光させる光源部１６０を設けて、制御部１８０は、光源部１６０の点灯制御するようにしている。これにより、加飾部１５１の非重なり部１５１ｂを光源部１６０によって、重なり部１５１ａとは異なる色で発光させることができる。
【００６２】
また、加飾部１５１には、ディスプレイ部１７０の画像の光を、加飾部１５１の周方向に交差する幅方向の領域に拡がるように屈折させる屈折部１５１ｃと、加飾部１５１の幅方向の端部で、ディスプレイ部１７０の画像の光を、文字板１３０の面に沿う方向に反射させる反射部１５１ｄとが設けられている（図３）。
【００６３】
これにより、屈折部１５１ｃによって、ディスプレイ部１７０の画像、あるいは加飾対応画像１７０ａの光が加飾部１５１、１５２の幅方向の全体にわたって視認される。このとき、加飾部１５１、１５２の幅方向端部におけるディスプレイ部１７０の画像、あるいは加飾対応画像１７０ａの光は、反射部１５１ｄによって、文字板１３０の面に沿う方向に反射され、ユーザ側からは見えないようになる。
【００６４】
加飾部１５１、１５２の幅方向端部に画像が見える場合であると、幅方向端部における画像と、加飾部１５１、１５２の幅方向の全体に視認される画像との間にゆがみが発生する。よって、加飾部１５１、１５２の幅方向端部における画像を見えなくすることで、上記のようなゆがみの発生をなくして、加飾部１５１、１５２に視認される画像のシームレス感を増すことができる。
【００６５】
また、ディスプレイ部１７０に加飾対応画像１７０ａを設ける場合では、この加飾対応画像１７０ａと加飾部１５１、１５２との位置ずれを吸収することができる。
【００６６】
（第２実施形態）
第２実施形態の車両用表示装置１００Ａを図７に示す。第２実施形態の車両用表示装置１００Ａは、上記第１実施形態の車両用表示装置１００に対して、加飾部１５１の形状を一部変更すると共に、ディスプレイ部１７０における画像の形成要領を変更したものである。
【００６７】
加飾部１５１は、屈折部１５１ｃおよび反射部１５１ｄを廃止したものとしており、ディスプレイ部１７０の画像（Ａの色領域）が、ユーザ側に透過されるようになっている。そして、制御部１８０は、ディスプレイ部１７０における画像の色および輝度を以下のように調整するようになっている。
【００６８】
即ち、ここでは、ディスプレイ部１７０における画像のうち、加飾部１５１に対応する領域（Ａの色領域）と、加飾部１５１の幅方向における境界部に対応する領域（Ｂの色領域）とを想定している。そして、制御部１８０は、ディスプレイ部１７０の画像における加飾部１５１との境界部に対応する領域の色および輝度（Ｂの色）を、ディスプレイ部１７０の画像が加飾部１５１を透過した後の光の色および輝度（Ａの色）に合せるように調整する。
【００６９】
これにより、加飾部１５１を透過した光の色および輝度と、ディスプレイ部１７０の画像における加飾部１５１との境界部に対応する領域の色および輝度を同等にすることができる。よって、加飾部１５１の境界部における画像のゆがみを見えにくくして、加飾部１５１に視認される画像のシームレス感を増すことができる。
【００７０】
また、ディスプレイ部１７０に加飾対応画像１７０ａを設ける場合では、この加飾対応画像１７０ａと加飾部１５１との位置ずれを吸収することができる。
【００７１】
（第３実施形態）
第２実施形態の車両用表示装置１００Ｂを図８に示す。第３実施形態の車両用表示装置１００Ｂは、上記第１実施形態の車両用表示装置１００に対して、加飾部１５１の形状を一部変更すると共に、ディスプレイ部１７０における画像の形成要領を変更したものである。
【００７２】
加飾部１５１は、第２実施形態と同様に、屈折部１５１ｃおよび反射部１５１ｄを廃止したものとしており、ディスプレイ部１７０の画像（Ａの色領域）が、ユーザ側に透過されるようになっている。そして、制御部１８０は、ディスプレイ部１７０における画像の色および輝度を以下のように調整するようになっている。
【００７３】
即ち、ここでは、ディスプレイ部１７０における画像のうち、加飾部１５１に対応する領域と、加飾部１５１の幅方向における境界部に対応する領域とを想定している。また、ディスプレイ部１７０において、加飾部１５１が形成されない領域、つまり、ディスプレイ部１７０に加飾部１５１が重ならない領域を非形成領域１７３と定義している。
【００７４】
そして、制御部１８０は、ディスプレイ部１７０の画像における加飾部１５１との境界部に対応する領域の色および輝度を、加飾部１５１と対応する領域の色および輝度（Ａの色）から、非形成領域１７３に対応する領域の色および輝度（Ｂの色）へ、グラデーションによって変化させるように調整する。
【００７５】
これにより、加飾部１５１と非形成領域１７３との間で、ディスプレイ部１７０の画像の色および輝度を滑らかに変化させるようにすることができるので、加飾部１５１の境界部における画像のゆがみを見えにくくして、加飾部１５１に視認される画像のシームレス感を増すことができる。
【００７６】
また、ディスプレイ部１７０に加飾対応画像１７０ａを設ける場合では、この加飾対応画像１７０ａと加飾部１５１との位置ずれを吸収することができる。
【００７７】
（その他の実施形態）
上記第１実施形態では、ディスプレイ部１７０に加飾対応画像１７０ａと、加飾部１５１の非重なり部１５１ｂを発光させる光源部１６０とを設けるものとしたが、これを廃止して、非重畳領域１７２の表示（図１）と、最外領域１７１の表示（第１パターン表示、図４）とを切替えるものとしてもよい。あるいは、加飾対応画像１７０ａと、加飾部１５１の非重なり部１５１ｂを発光させる光源部１６０とのいずれか一方のみを備えるものとしてもよい。
【００７８】
また、メータ部１４１、１４２は、２つ（複数）設けられるものとしたが、いずれか１つのみが設けられるものとしてもよい。
【００７９】
また、上記各実施形態では、本発明を車両用表示装置において、メータ部１４１、１４２は、車速、エンジン回転速度を表示するものに適用して説明したが、その他別の情報（燃料残量、エンジン水温等）を表示するものにも広く適用することができる。
【符号の説明】
【００８０】
１００、１００Ａ、１００Ｂ  車両用表示装置
１３０  文字板
１３０ａ  開口部
１４１、１４２  メータ部
１５１、１５２  加飾部
１５１１  本体部材
１５１２  表面処理層
１５１ａ、１５２ａ  重なり部
１５１ｂ、１５２ｂ  非重なり部
１５１ｃ  屈折部
１５１ｄ  反射部
１６０  光源部
１７０  ディスプレイ部
１７０ａ  加飾対応画像
１７１  最外領域
１７２  非重畳領域
１７３  非形成領域
１８０  制御部
【図１】
0006308172.tif 000002
【図２】
0006308172.tif 000003
【図３】
0006308172.tif 000004
【図４】
0006308172.tif 000005
【図５】
0006308172.tif 000006
【図６】
0006308172.tif 000007
【図７】
0006308172.tif 000008
【図８】
0006308172.tif 000009